(57)【要約】【課題】  衛星ＤＭＢ及び地上波ＤＭＢシステムの各送信機の位置情報を活用して単方向のＬＢＳを提供し、さらに、ユーザーの位置情報が露出する恐れのない衛星ＤＭＢ及び地上波ＤＭＢのためのＬＢＳを提供する。【解決手段】  本発明に係る衛星ＤＭＢ及び地上波ＤＭＢシステムのためのＬＢＳ提供方法は、衛星ＤＭＢ及び地上波ＤＭＢシステムにおいて、放送端末機がＤＭＢ送信機ＩＤを受信して自己の位置情報を獲得及び更新する過程と、前記獲得された位置によってＬＢＳの提供を所望するサービス地域及びサービス情報の種類を選択して決定する過程と、前記放送端末機がＤＭＢシステムから送出されたデータフレームを受信し、前記データフレームから前記選択決定されたサービス地域及びサービス情報の種類に該当するＬＢＳデータを獲得する過程とを含む。【選択図】    図１
2006094495.tif 000002
【特許請求の範囲】
【請求項１】
衛星ＤＭＢ及び地上波ＤＭＢシステムにおいて、
放送端末機がＤＭＢ送信機ＩＤを受信して自分の位置情報を獲得及び更新する過程と、
前記獲得された位置によって位置基盤サービスの提供を所望するサービス地域及びサービス情報の種類を選択して決定する過程と、
前記放送端末機がＤＭＢシステムから送出されたデータフレームを受信し、前記データフレームから前記選択決定されたサービス地域及びサービス情報の種類に該当する位置基盤サービスデータを獲得する過程と
を含むことを特徴とする衛星ＤＭＢ及び地上波ＤＭＢシステムのための位置基盤サービス提供方法。
【請求項２】
前記サービス地域及びサービス情報の種類は、
ユーザーが放送端末機に予めプログラムされた選択メニューから選択して設定されることを特徴とする請求項１に記載の衛星ＤＭＢ及び地上波ＤＭＢシステムのための位置基盤サービス提供方法。
【請求項３】
前記サービス地域は、
ＤＭＢ通信ネットワーク内で特定セル又は複数のセルを含んで設定されることを特徴とする請求項１に記載の衛星ＤＭＢ及び地上波ＤＭＢシステムのための位置基盤サービス提供方法。
【請求項４】
前記サービス地域は、
ＤＭＢ通信ネットワーク内で行政区域単位又は円半径範囲で設定されることを特徴とする請求項１に記載の衛星ＤＭＢ及び地上波ＤＭＢシステムのための位置基盤サービス提供方法。
【請求項５】
前記データフレームは、
放送映像データと位置基盤サービスデータを区分するための区分識別子を含むことを特徴とする請求項１に記載の衛星ＤＭＢ及び地上波ＤＭＢシステムのための位置基盤サービス提供方法。
【請求項６】
前記データフレームは、
位置基盤サービスデータ内に地域関連情報を区分するための地域区分識別子を含むことを特徴とする請求項１に記載の衛星ＤＭＢ及び地上波ＤＭＢシステムのための位置基盤サービス提供方法。
【請求項７】
前記データフレームは、
位置基盤サービスデータ内に情報の種類を区分するための情報種類区分識別子を含むことを特徴とする請求項１に記載の衛星ＤＭＢ及び地上波ＤＭＢシステムのための位置基盤サービス提供方法。
【請求項８】
前記受信されたデータフレームに含まれた位置基盤サービスデータが、
前記選択決定されたサービス地域及びサービス情報の種類に該当する位置基盤サービスデータであるか否か判断する過程をさらに含むことを特徴とする請求項１に記載の衛星ＤＭＢ及び地上波ＤＭＢシステムのための位置基盤サービス提供方法。
【請求項９】
衛星ＤＭＢ及び地上波ＤＭＢシステムにおいて、
放送端末機が、ＤＭＢシステムの送信機から送出された送信機ＩＤを受信して位置情報を獲得及び更新し、ＤＭＢシステムが送出する位置基盤サービスデータを受信することを特徴とする衛星ＤＭＢ及び地上波ＤＭＢシステムのための位置基盤サービス提供方法。
【請求項１０】
前記位置基盤サービスデータは、
放送端末機のユーザーが前記サービスの提供を所望するサービス地域及びサービス情報の種類に該当する位置基盤サービスデータであることを特徴とする請求項９に記載の衛星ＤＭＢ及び地上波ＤＭＢシステムのための位置基盤サービス提供方法。
【請求項１１】
前記サービス地域及びサービス情報の種類は、
ユーザーが放送端末機に予めプログラムされた選択メニューから選択して設定されることを特徴とする請求項１０に記載の衛星ＤＭＢ及び地上波ＤＭＢシステムのための位置基盤サービス提供方法。
【請求項１２】
前記サービス地域は、
前記送信機ＩＤを受信して獲得された位置情報に基づいて設定されるものであり、ＤＭＢ通信ネットワーク内の特定地域であるか、１つ又は複数の特定セルであることを特徴とする請求項１１に記載の衛星ＤＭＢ及び地上波ＤＭＢシステムのための位置基盤サービス提供方法。
【請求項１３】
前記位置基盤サービスデータは、
前記放送映像データと位置基盤サービスデータを区分するための識別子を含むデータフレームであることを特徴とする請求項９に記載の衛星ＤＭＢ及び地上波ＤＭＢシステムのための位置基盤サービス提供方法。
【請求項１４】
前記データフレームは、
位置基盤サービスデータ内に地域関連情報を区分するための地域区分識別子を含むことを特徴とする請求項１３に記載の衛星ＤＭＢ及び地上波ＤＭＢシステムのための位置基盤サービス提供方法。
【請求項１５】
前記データフレームは、
位置基盤サービスデータ内にサービス情報の種類を区分するための情報種類区分識別子を含むことを特徴とする請求項１３に記載の衛星ＤＭＢ及び地上波ＤＭＢシステムのための位置基盤サービス提供方法。
【請求項１６】
衛星ＤＭＢ及び地上波ＤＭＢシステムにおいて、
放送端末機が、ＤＭＢ送信機から送出した送信機ＩＤを受信して位置情報を獲得及び更新し、ＤＭＢシステムが転送する位置基盤サービスデータのうちユーザーが選択したサービス地域及びサービス情報の種類の位置基盤サービスデータを受信することを特徴とする衛星ＤＭＢ及び地上波ＤＭＢシステムのための単方向の位置基盤サービス提供方法。
【発明の詳細な説明】
【技術分野】
【０００１】
本発明は、位置基盤サービス（Location Based System: 以下、ＬＢＳという）の提供方法に関し、特に、デジタルマルチメディア放送（DigtalMultimedia Broadcasting： 以下、ＤＭＢという）のためのＬＢＳの提供方法に関する。
【背景技術】
【０００２】
ＬＢＳとは、情報機器のユーザーの位置情報を活用するサービスであり、移動性が保障された機器を利用して機器周辺の各種交通情報や生活情報などをリアルタイムでユーザーに提供することにより、ユーザーにおける生活の利便性を図る移動通信サービスである。このＬＢＳは、端末機と基地局間の通信方式によって、両方向通信が可能な既存のＬＢＳと本発明に係る単方向の衛星ＤＭＢ及び地上波ＤＭＢのためのＬＢＳとに区分される。
【０００３】
衛星ＤＭＢ及び地上波ＤＭＢとは、オーディオサービスのみが提供されるＤＡＢ（Digital Audio Broadcasting）より進歩したデジタル放送技術であり、複数のチャネルでオーディオ、ビデオデータサービスを包括的に提供する通信サービスである。このようなＤＭＢは、ＤＭＢシステムがＤＭＢ送信機を通じて放送するマルチメディア情報及びデジタルデータを放送端末機（DMBTerminal）が一方的に受信する機能しか有しておらず、前記ＤＭＢ送信機が個別放送端末機を区別又は管理できる手段がないため、ユーザーの位置情報を活用するＬＢＳの適用には限界があった。
【０００４】
図４は、各セルを管轄する送信機に送信機ＩＤを付与するＥｕｒｅｋａ−１４７の方式を応用して単方向性のＤＭＢのためのＬＢＳを実現する方法を示す。図４を参照すると、それぞれの送信機に主ＩＤとサブＩＤからなる複数のサブクラス形態のＩＤが割り当てられている。すなわち、図示された領域全体を他の領域と区別するためには主ＩＤである「００」を利用し、個別的な送信機を区別するためには「００＿ｘｘ」を利用する。
【０００５】
一方、従来のＬＢＳシステムは移動通信サービスをベースにして構成され、移動通信端末機のユーザーの位置情報を獲得する方法によって、移動通信ネットワークベース（Network Based）方式とＧＰＳベース方式とに分類される。
【０００６】
第１に、移動通信ネットワークベース方式は、ユーザーが移動通信端末機（以下、端末機という）の電源をオンにすると、前記端末機が利動通信ネットワーク内のどのセルに属しているかを継続的に探索して管轄セル（あるいは基地局）を移動通信ネットワークシステムに登録するセルＩＤ方式である。前記端末機と管轄セルは、所定時間ごとに位置情報を送受信することにより、ユーザーが移動して管轄セルが変わる度に前記端末機の位置情報を前記ＬＢＳシステムに登録する。これによって、前記システムは、前記端末機が移動通信ネットワーク内のどのセル地域に位置しているかを把握することができる。第２に、ＧＰＳベース方式は、端末機が自己に内蔵されたＧＰＳチップを利用して正確な位置情報を獲得して基地局に報告することにより、前記ＬＢＳシステムは前記端末機の位置を把握することができる。
【０００７】
このように、従来のＬＢＳにおいて、端末機が獲得した位置情報を管轄セル（又は基地局）に報告すると、移動通信ＬＢＳシステムは、前記報告された位置情報に基づいてユーザーに特化したサービスを提供する。従って、ユーザーが移動通信ネットワークのどのセルに位置しているかによってユーザーに提供される情報及びサービスが変化する。
【０００８】
また、従来のＬＢＳは、ユーザーの位置情報を基地局に報告しなければならないため、プライバシー侵害の問題があり、両方向性の移動通信ネットワークをベースにしてサービスが提供されるため、単方向の放送システムにそのまま適用できないという問題があった。その他にも、ユーザーが位置している管轄セルによって特化した情報及びサービスが提供されるので、サービス利用料金が単方向のＬＢＳより高いという不都合があった。
【発明の開示】
【発明が解決しようとする課題】
【０００９】
本発明の目的は、衛星ＤＭＢ及び地上波ＤＭＢシステムの各送信機の位置情報を活用して単方向のＬＢＳを提供することにある。
【００１０】
本発明の他の目的は、ユーザーの位置情報が露出する恐れのない衛星ＤＭＢ及び地上波ＤＭＢのためのＬＢＳを提供することにある。
【課題を解決するための手段】
【００１１】
このような目的を達成するために、本発明に係る衛星ＤＭＢ及び地上波ＤＭＢシステムのためのＬＢＳ提供方法は、衛星ＤＭＢ及び地上波ＤＭＢシステムにおいて、放送端末機がＤＭＢ送信機ＩＤを受信して自分の位置情報を獲得及び更新する過程と、前記獲得された位置によってＬＢＳの提供を所望するサービス地域及びサービス情報の種類を選択して決定する過程と、前記放送端末機がＤＭＢシステムから送出されたデータフレームを受信し、前記データフレームから前記選択決定されたサービス地域及びサービス情報の種類に該当するＬＢＳデータを獲得する過程とを含むことを特徴とする。
【００１２】
好ましくは、前記サービス地域及びサービス情報の種類は、ユーザーが予めプログラムされた選択メニューから選択して設定される。
【００１３】
好ましくは、前記サービス地域は、ＤＭＢ通信ネットワーク内で特定セル又は複数のセルを含んで設定される。
【００１４】
好ましくは、前記サービス地域は、ＤＭＢ通信ネットワーク内で行政区域単位又は円半径範囲で設定される。
【００１５】
好ましくは、前記データフレームは、放送映像データとＬＢＳデータを区分するための区分識別子を含む。
【００１６】
好ましくは、前記データフレームは、ＬＢＳデータのうち地域関連情報を区分するための地域区分識別子と、情報の種類を区分するための情報種類区分識別子を含む。
【００１７】
好ましくは、前記受信されたＬＢＳデータが、前記選択決定されたサービス地域及びサービス情報の種類に該当するＬＢＳデータであるか否か判断する過程をさらに含む。
【００１８】
上記目的を達成するために、本発明は、例えば、以下の手段を提供する。
（項目１）
衛星ＤＭＢ及び地上波ＤＭＢシステムにおいて、
放送端末機がＤＭＢ送信機ＩＤを受信して自分の位置情報を獲得及び更新する過程と、
前記獲得された位置によって位置基盤サービスの提供を所望するサービス地域及びサービス情報の種類を選択して決定する過程と、
前記放送端末機がＤＭＢシステムから送出されたデータフレームを受信し、前記データフレームから前記選択決定されたサービス地域及びサービス情報の種類に該当する位置基盤サービスデータを獲得する過程と
を含むことを特徴とする衛星ＤＭＢ及び地上波ＤＭＢシステムのための位置基盤サービス提供方法。
（項目２）
前記サービス地域及びサービス情報の種類は、
ユーザーが放送端末機に予めプログラムされた選択メニューから選択して設定されることを特徴とする項目１に記載の衛星ＤＭＢ及び地上波ＤＭＢシステムのための位置基盤サービス提供方法。
（項目３）
前記サービス地域は、
ＤＭＢ通信ネットワーク内で特定セル又は複数のセルを含んで設定されることを特徴とする項目１に記載の衛星ＤＭＢ及び地上波ＤＭＢシステムのための位置基盤サービス提供方法。
（項目４）
前記サービス地域は、
ＤＭＢ通信ネットワーク内で行政区域単位又は円半径範囲で設定されることを特徴とする項目１に記載の衛星ＤＭＢ及び地上波ＤＭＢシステムのための位置基盤サービス提供方法。
（項目５）
前記データフレームは、
放送映像データと位置基盤サービスデータを区分するための区分識別子を含むことを特徴とする項目１に記載の衛星ＤＭＢ及び地上波ＤＭＢシステムのための位置基盤サービス提供方法。
（項目６）
前記データフレームは、
位置基盤サービスデータ内に地域関連情報を区分するための地域区分識別子を含むことを特徴とする項目１に記載の衛星ＤＭＢ及び地上波ＤＭＢシステムのための位置基盤サービス提供方法。
（項目７）
前記データフレームは、
位置基盤サービスデータ内に情報の種類を区分するための情報種類区分識別子を含むことを特徴とする項目１に記載の衛星ＤＭＢ及び地上波ＤＭＢシステムのための位置基盤サービス提供方法。
（項目８）
前記受信されたデータフレームに含まれた位置基盤サービスデータが、
前記選択決定されたサービス地域及びサービス情報の種類に該当する位置基盤サービスデータであるか否か判断する過程をさらに含むことを特徴とする項目１に記載の衛星ＤＭＢ及び地上波ＤＭＢシステムのための位置基盤サービス提供方法。
（項目９）
衛星ＤＭＢ及び地上波ＤＭＢシステムにおいて、
放送端末機が、ＤＭＢシステムの送信機から送出された送信機ＩＤを受信して位置情報を獲得及び更新し、ＤＭＢシステムが送出する位置基盤サービスデータを受信することを特徴とする衛星ＤＭＢ及び地上波ＤＭＢシステムのための位置基盤サービス提供方法。
（項目１０）
前記位置基盤サービスデータは、
放送端末機のユーザーが前記サービスの提供を所望するサービス地域及びサービス情報の種類に該当する位置基盤サービスデータであることを特徴とする項目９に記載の衛星ＤＭＢ及び地上波ＤＭＢシステムのための位置基盤サービス提供方法。
（項目１１）
前記サービス地域及びサービス情報の種類は、
ユーザーが放送端末機に予めプログラムされた選択メニューから選択して設定されることを特徴とする項目１０に記載の衛星ＤＭＢ及び地上波ＤＭＢシステムのための位置基盤サービス提供方法。
（項目１２）
前記サービス地域は、
前記送信機ＩＤを受信して獲得された位置情報に基づいて設定されるものであり、ＤＭＢ通信ネットワーク内の特定地域であるか、１つ又は複数の特定セルであることを特徴とする項目１１に記載の衛星ＤＭＢ及び地上波ＤＭＢシステムのための位置基盤サービス提供方法。
（項目１３）
前記位置基盤サービスデータは、
前記放送映像データと位置基盤サービスデータを区分するための識別子を含むデータフレームであることを特徴とする項目９に記載の衛星ＤＭＢ及び地上波ＤＭＢシステムのための位置基盤サービス提供方法。
（項目１４）
前記データフレームは、
位置基盤サービスデータ内に地域関連情報を区分するための地域区分識別子を含むことを特徴とする項目１３に記載の衛星ＤＭＢ及び地上波ＤＭＢシステムのための位置基盤サービス提供方法。
（項目１５）
前記データフレームは、
位置基盤サービスデータ内にサービス情報の種類を区分するための情報種類区分識別子を含むことを特徴とする項目１３に記載の衛星ＤＭＢ及び地上波ＤＭＢシステムのための位置基盤サービス提供方法。
（項目１６）
衛星ＤＭＢ及び地上波ＤＭＢシステムにおいて、
放送端末機が、ＤＭＢ送信機から送出した送信機ＩＤを受信して位置情報を獲得及び更新し、ＤＭＢシステムが転送する位置基盤サービスデータのうちユーザーが選択したサービス地域及びサービス情報の種類の位置基盤サービスデータを受信することを特徴とする衛星ＤＭＢ及び地上波ＤＭＢシステムのための単方向の位置基盤サービス提供方法。
【発明の効果】
【００１９】
本発明に係る衛星ＤＭＢ及び地上波ＤＭＢシステムのためのＬＢＳ提供方法は、単方向のＤＭＢシステムのＤＭＢ送信機から送出した送信機ＩＤを利用して放送端末機の位置情報を獲得及び更新してＤＭＢシステムが提供するＬＢＳを受けるため、移動通信ネットワークを利用した従来のＬＢＳのように個人によって特化したサービスを受ける必要がなく、よって、低コストでＬＢＳを受けることができ、また、個人の位置情報露出によるプライバシー侵害を防止できるという効果がある。
【発明を実施するための最良の形態】
【００２０】
本発明は、衛星ＤＭＢ及び地上波ＤＭＢシステムの単方向ＬＢＳにおいて実現される。しかしながら、本発明は、他の標準により動作する無線通信システムにも適用できる。
【００２１】
本発明の趣旨は、ユーザーに多様なＬＢＳを提供するために、衛星ＤＭＢ及び地上波ＤＭＢシステムの各ＤＭＢ送信機が転送するＤＭＢ送信機ＩＤを放送端末機が受信して自己の位置情報を獲得するため、両方向性の移動通信ネットワークのＬＢＳのように移動通信端末機が自己の位置を基地局（又はセル）に報告する必要のない単方向のＬＢＳを提供する方法を提案する。
【００２２】
このような本発明を実現するために、第１に、電波環境に適するように複数のセルにより設計された衛星ＤＭＢ及び地上波ＤＭＢシステムの通信ネットワークを構築する必要がある。第２に、放送映像データと共にＬＢＳデータを各セルのＤＭＢ送信機に転送するＤＭＢシステムを備える必要がある。第３に、前記各セルにはＤＭＢシステムから転送されたＬＢＳデータ及び放送映像データと共に固有のＩＤを送出するＤＭＢ送信機を備える必要がある。第４に、前記各送信機ＩＤを受信して地理情報データベースから通信ネットワーク内の自己の位置情報を獲得及び更新し、前記ＬＢＳデータと放送映像データを受信できる放送端末機を備える必要がある。
【００２３】
前記ＬＢＳデータと放送映像データは、データフレームの形態で転送され、前記ＬＢＳデータには前記データフレームの両データを区分するために、区分識別子（Identifier）が含まれる。前記ＬＢＳデータには、交通情報、天気情報、クーポン情報と、周辺の飲食店、医療機関、デパート、花の配達、引越センターなどの生活情報と、映画、演劇などの文化情報などが含まれる。また、前記データフレームのＬＢＳデータには、前記情報種類を区分する情報種類区分識別子と通信ネットワーク内の地域関連情報を区分する地域区分識別子を含む。
【００２４】
一方、前記送信機ＩＤは、適した通信環境に合わせて前記データフレームに含めて転送することもでき、また、前記データフレームと共に別途のチャネルで転送することもできる。より詳しく説明すると、地上波ＤＭＢの転送方式の基本であるのＥｕｒｅｋａ−１４７では、送信機ＩＤの付与に関して具体的に規定されていないが、ヌルシンボル（Null Symbol）区間に送信機ＩＤを付与して転送できる方法が知られており、サービス情報のフィールドを利用して各送信機が設置された正確な緯度及び経度情報も提供することができる。このような地上波ＤＭＢ以外に、衛星ＤＭＢ方式においても送信機ＩＤを送信データに挿入できる方法として、システムＥ方式の衛星ＤＭＢの場合、転送されるウォルシュコード番号（Walshcode number）として０が付与されたパイロットチャネル情報のうち現在予備領域に規定されたＤ５１データ領域に送信機ＩＤを含めて転送させる計画が発表された。
【００２５】
図１は、本発明に係る衛星ＤＭＢ及び地上波ＤＭＢのための位置基盤サービス提供方法の実施形態を示すフローチャートであり、図２は、図４の従来のＥｕｒｅｋａ−１４７システム通信ネットワークに適用された送信機ＩＤを利用して本発明に係る特定地域の食堂情報を獲得するための実施形態を示す図である。以下、図１及び図２を参照して本発明の実施形態を説明する。
【００２６】
放送端末機のユーザーが、ＤＭＢ通信ネットワークのＤＭＢ送信機（Ａ地域）が位置したセル内で移動中であるとき、前記放送端末機は、前記送信機が送出した送信機ＩＤ（００＿２１）を受信し（Ｓ１１）、前記放送端末機の地理情報データベースから通信ネットワーク内のどのセル地域に位置しているかという前記ユーザーの位置情報（Ａ地域）を獲得する（Ｓ１３）。ユーザーが他のセル００＿０１（Ｂ地域）に移動すると、前記過程（Ｓ１１、Ｓ１３）を経てユーザーの位置情報が更新される（Ｓ１０）。また、複数の送信機から転送される信号電力を利用する三角測定法により一層正確なユーザーの位置を獲得することができ、このように獲得されたユーザーの位置を端末機の表示装置を通じて地理情報データベースが提供する地図上に表示することができる。
【００２７】
前記過程（Ｓ１０）を通じて自分の位置情報（Ａ地域）を獲得したユーザーが、近隣地域にあるレストランに昼食を食べに行こうとする場合、端末機に予めプログラムされた選択メニューを利用してＬＢＳ地域範囲（現在位置から半径５ｋｍ以内）及びＬＢＳ情報種類（レストラン）を指定して近隣地域の食堂に関するＬＢＳの範囲を選択することができる（Ｓ２１）。図２に示すように、前記過程（Ｓ２１）で、ユーザーの現在位置（Ａ地域）を中心に半径５ｋｍ以内にセル００＿０１（Ｂ地域）からセル００＿０６（Ｇ地域）が含まれることが分かる。従って、ユーザーは前記放送端末機の地理情報データベースを通じて前記選択された半径内の各セル（００＿２１、００＿０１〜００＿０６）が該当する行政区域（Ａ、Ｂ、Ｃ、Ｄ、Ｅ、Ｆ、Ｇ地域）が分かり、また、選択されたＬＢＳ地域（Ａ、Ｂ、Ｃ、Ｄ、Ｅ、Ｆ、Ｇ地域）及び情報の種類（レストラン）が決定される（Ｓ２３）。
【００２８】
前記ＤＭＢシステムは、放送映像データとＬＢＳデータを含むデータフレームを各ＤＭＢ送信機に転送する。前記データフレームを各ＤＭＢ送信機が送出すると、ユーザーの放送端末機が受信し（Ｓ３１）、前記受信されたデータフレームに区分識別子が含まれているか否かを確認することによりＬＢＳデータが存在するか否か判断する（Ｓ３３）。すなわち、前記判断（Ｓ３３）において、区分識別子がない場合は、放送映像データであるため、信号の復号処理過程を経るが（Ｓ４０）、前記データフレームに区分識別子があってＬＢＳデータがあると判断されると、前記ＬＢＳデータが前記選択されたＬＢＳデータ（Ａ、Ｂ、Ｃ、Ｄ、Ｅ、Ｆ、Ｇ地域内のレストラン情報）に該当するか否かさらに判断する（Ｓ３５）。すなわち、前記ＬＢＳデータのデータフレーム構造は、各地域（Ａ〜Ｊ、Ｘ、Ｙ、ＡＡ、ＡＢ地域）関連データを区分するために地域区分識別子を含んでおり、また、各情報の種類（レストラン、交通、クーポンなど）を区分するために情報種類区分識別子を含んでいるため、前記判断（Ｓ３５）の情報検出過程を通じて前記選択された地域（Ａ、Ｂ、Ｃ、Ｄ、Ｅ、Ｆ、Ｇ地域）及び情報の種類（レストラン）のみで構成された前記選択されたＬＢＳデータ（Ａ、Ｂ、Ｃ、Ｄ、Ｅ、Ｆ、Ｇ地域内の食堂情報）が獲得される（Ｓ３７）。前記過程（Ｓ３７）において獲得されたＬＢＳデータは、前記放送端末機の記憶装置に保存されるか、又は表示装置に表示され、前記選択されなかったＬＢＳデータは廃棄される（Ｓ３９）。
【００２９】
図３は、図４の従来のＥｕｒｅｋａ−１４７システム通信ネットワークに適用された送信機ＩＤを利用して本発明に係る特定地域の交通情報を獲得するための実施形態を示す図である。
【００３０】
図３を参照すると、Ｈ地域に位置したユーザーがＡＡ地域（００）からＡＢ地域（０１）に車両を運転中に該当地域の交通情報を得るためには、まずユーザーの放送端末機がＤＭＢ送信機ＩＤ（００＿０８）を受信し、放送端末機の地理情報データベースから自己の位置情報（Ｈ地域）を獲得する（Ｓ１０）。前記過程（Ｓ１０）から自己の位置情報（Ｈ地域）を獲得したユーザーは、放送端末機に予めプログラムされている選択メニューからＬＢＳ地域（ＡＡ地域からＡＢ地域まで）及び情報の種類（交通）を選択し、前記放送端末機の地理情報データベースを通じてＬＢＳ地域及び情報の種類を決定する（Ｓ２０）。次に、前記放送端末機は、ＤＭＢシステムから送出されたデータフレームにおいて区分識別子の有無を判断してＬＢＳデータがあるか否か確認し（Ｓ３３）、また、地域区分識別子及び情報種類区分識別子を確認して（Ｓ３５）前記ＬＢＳデータのうち前記選択されたＬＢＳデータ（ＡＡ地域からＡＢ地域までの交通情報）を獲得する（Ｓ３７）。
【００３１】
前述したように、本発明は、図４のように移動通信ネットワークの各基地局に基地局ＩＤを付与する方式を利用すると、単方向のＤＭＢシステムだけでなく、両方向性のＤＭＢシステムでも実現できる。
【００３２】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００３３】
衛星ＤＭＢ及び地上波ＤＭＢシステムの各送信機の位置情報を活用して単方向のＬＢＳを提供し、さらに、ユーザーの位置情報が露出する恐れのない衛星ＤＭＢ及び地上波ＤＭＢのためのＬＢＳを提供する。
【００３４】
本発明に係る衛星ＤＭＢ及び地上波ＤＭＢシステムのためのＬＢＳ提供方法は、衛星ＤＭＢ及び地上波ＤＭＢシステムにおいて、放送端末機がＤＭＢ送信機ＩＤを受信して自己の位置情報を獲得及び更新する過程と、前記獲得された位置によってＬＢＳの提供を所望するサービス地域及びサービス情報の種類を選択して決定する過程と、前記放送端末機がＤＭＢシステムから送出されたデータフレームを受信し、前記データフレームから前記選択決定されたサービス地域及びサービス情報の種類に該当するＬＢＳデータを獲得する過程とを含む。
【図面の簡単な説明】
【００３５】
【図１】本発明に係る衛星ＤＭＢ及び地上波ＤＭＢのための位置基盤サービス提供方法の実施形態を示すフローチャートである。
【図２】図４の送信機ＩＤを利用して本発明に係る特定地域のレストラン情報を獲得するための実施形態を示す図である。
【図３】図４の送信機ＩＤを利用して本発明に係る特定地域の交通情報を獲得するための実施形態を示す図である。
【図４】従来の技術であるＥｕｒｅｋａ−１４７システム通信ネットワークにおいて送信機ＩＤを付与する方式を示す図である。
【図１】
2006094495.tif 000003
【図２】
2006094495.tif 000004
【図３】
2006094495.tif 000005
【図４】
2006094495.tif 000006